(57)【要約】【課題】投写画像を明るくすることが可能で、かつ、投写画像の色バランスを安定させることが可能なプロジェクターを提供する。【解決手段】主励起光を射出する第１固体光源と、主励起光を赤色光及び緑色光を含む光に変換して射出する蛍光層とを備える第１固体光源装置２０と、青色光を射出する第２固体光源を備える第２固体光源装置１２０と、各色光を画像情報に応じて変調する光変調装置４００Ｒ，４００Ｇ，４００Ｂと、各光変調装置からの変調光を投写画像として投写する投写光学系６００と、反射型偏光板４０と、ダイクロイックミラー４２とを備えるプロジェクター１０００。【選択図】図１
2011048044.tif 000002
【特許請求の範囲】
【請求項１】
主励起光を射出する第１固体光源と、前記第１固体光源から射出される前記主励起光を赤色光及び緑色光を含む光に変換して射出する蛍光層とを備える第１固体光源装置と、
青色光を射出する第２固体光源を備える第２固体光源装置と、
前記赤色光、前記緑色光及び前記青色光を画像情報に応じて変調する光変調装置と、
前記光変調装置からの変調光を投写画像として投写する投写光学系と、
前記第２固体光源装置から射出される前記青色光を、前記光変調装置で変調する一方の青色偏光成分と副励起光として前記蛍光層に入射させるための他方の青色偏光成分とに偏光分離する反射型偏光板と、
前記反射型偏光板で分離された前記副励起光を前記蛍光層へ向けて反射して、前記副励起光を、前記主励起光が入射する方向とは異なる方向から前記蛍光層に入射させる青色光反射光学素子とを備え、
前記蛍光層は、前記主励起光とともに前記副励起光を前記赤色光及び前記緑色光を含む光に変換して射出するように構成されていることを特徴とするプロジェクター。
【請求項２】
請求項１に記載のプロジェクターにおいて、
前記第１固体光源装置から射出される光を平行化する第１コリメート光学系と、
前記第２固体光源装置から射出される青色光を平行化する第２コリメート光学系とをさらに備え、
前記反射型偏光板は、前記第２コリメート光学系の後段に位置し、
前記青色光反射光学素子は、前記第１コリメート光学系の後段に位置することを特徴とするプロジェクター。
【請求項３】
請求項２に記載のプロジェクターにおいて、
前記第１コリメート光学系の後段に位置し、前記第１固体光源装置から射出される光に含まれる偏光成分のうち一方の偏光成分をそのまま通過させるとともに、他方の偏光成分を前記蛍光層に向けて反射する第２反射型偏光板をさらに備えることを特徴とするプロジェクター。
【請求項４】
請求項１〜３のいずれかに記載のプロジェクターにおいて、
前記主励起光は、青色光であることを特徴とするプロジェクター。
【請求項５】
請求項４に記載のプロジェクターにおいて、
前記第１固体光源と、前記第２固体光源とは、同一の温度特性を有することを特徴とするプロジェクター。
【請求項６】
請求項１〜３のいずれかに記載のプロジェクターにおいて、
前記主励起光は、紫外光であることを特徴とするプロジェクター。
【請求項７】
請求項６に記載のプロジェクターにおいて、
前記蛍光層から射出される光をそのまま通過させるとともに、前記蛍光層で変換されずにそのまま射出される前記紫外光を前記蛍光層に向けて反射する紫外光反射ミラーをさらに備えることを特徴とするプロジェクター。
【請求項８】
請求項１〜７のいずれかに記載のプロジェクターにおいて、
前記蛍光層は、ＹＡＧ系蛍光体、シリケート系蛍光体又はＴＡＧ系蛍光体を含有する層からなることを特徴とするプロジェクター。
【請求項９】
請求項１〜８のいずれかに記載のプロジェクターにおいて、
前記第１固体光源からの光から黄色光を除去する機能を有することを特徴とするプロジェクター。
【発明の詳細な説明】
【技術分野】
【０００１】
本発明は、プロジェクター、特に、固体光源を用いたプロジェクターに関する。
【背景技術】
【０００２】
従来、白色光を射出する１つの固体光源装置と、１つの固体光源装置からの光を赤色光、緑色光及び青色光に分離する色分離導光光学系と、色分離導光光学系からの各色光を画像情報に応じて変調する光変調装置と、光変調装置からの変調光を投写画像として投写する投写光学系とを備えるプロジェクターが知られている（例えば、特許文献１参照。）。特許文献１に記載されているプロジェクターによれば、光変調装置で変調する３つの色光（赤色光、緑色光及び青色光）として、白色光を射出する１つの固体光源装置から色分離して得られる３つの色光を用いるため、３つの固体光源装置を備えるプロジェクターの場合のように固体光源装置ごとに発光効率（単位電力あたりの明るさ）や温度特性（温度の変化による光量の変化）が異なることがなくなり、その結果、投写画像の色バランスを安定させることが可能となる。
【０００３】
また、赤色光を射出する固体光源装置、緑色光を射出する固体光源装置及び青色光を射出する固体光源装置と、各固体光源装置からの各色光を画像情報に応じて変調する光変調装置と、光変調装置からの変調光を投写画像として投写する投写光学系とを備えるプロジェクターが知られている（例えば、特許文献２参照。）。特許文献２に記載されているプロジェクターによれば、各色光（赤色光、緑色光及び青色光）ごとに別個の固体光源装置（赤色光を射出する固体光源装置、緑色光を射出する固体光源装置及び青色光を射出する固体光源装置）を備え、光変調装置で変調する３つの色光（赤色光、緑色光及び青色光）として、上記の３つの固体光源装置がそれぞれ射出する３つの色光を用いるため、１つの固体光源装置を備えるプロジェクターよりも投写画像を明るくすることが可能となる。
【先行技術文献】
【特許文献】
【０００４】
【特許文献１】特開２００５−２７４９５７号公報
【特許文献２】特開２００２−２６８１４０号公報
【発明の概要】
【発明が解決しようとする課題】
【０００５】
しかしながら、特許文献１に記載されているプロジェクターにおいては、１つの固体光源装置から赤色光、緑色光及び青色光を含む白色光を発生させているため、３つの固体光源装置を備えるプロジェクターの場合とは異なり１つの固体光源装置に大きな熱的負荷が集中してしまうこととなり、その結果、投写画像をより明るくすることが困難であるという問題がある。
【０００６】
また、特許文献２に記載されているプロジェクターにおいては、赤色光、緑色光及び青色光を射出するための３つの固体光源装置（赤色光を射出する固体光源装置、緑色光を射出する固体光源装置及び青色光を射出する固体光源装置）のそれぞれが有する発光効率や温度特性を揃えることが困難であるため、投写画像の色バランスを安定させることが困難であるという問題がある。
【０００７】
そこで、本発明は、上記した問題を解決するためになされたもので、１つの固体光源装置を備えるプロジェクターよりも投写画像を明るくすることが可能で、かつ、各色光ごとに別個の固体光源装置を備えるプロジェクターよりも投写画像の色バランスを安定させることが可能なプロジェクターを提供することを目的とする。
【課題を解決するための手段】
【０００８】
［１］本発明のプロジェクターは、主励起光を射出する第１固体光源と、前記第１固体光源から射出される前記主励起光を赤色光及び緑色光を含む光に変換して射出する蛍光層とを備える第１固体光源装置と、青色光を射出する第２固体光源を備える第２固体光源装置と、前記赤色光、前記緑色光及び前記青色光を画像情報に応じて変調する光変調装置と、前記光変調装置からの変調光を投写画像として投写する投写光学系と、前記第２固体光源装置から射出される前記青色光を、前記光変調装置で変調する一方の青色偏光成分と副励起光として前記蛍光層に入射させるための他方の青色偏光成分とに偏光分離する反射型偏光板と、前記反射型偏光板で分離された前記副励起光を前記蛍光層へ向けて反射して、前記副励起光を、前記主励起光が入射する方向とは異なる方向から前記蛍光層に入射させる青色光反射光学素子とを備え、前記蛍光層は、前記主励起光とともに前記副励起光を前記赤色光及び前記緑色光を含む光に変換して射出するように構成されていることを特徴とする。
【０００９】
このため、本発明のプロジェクターによれば、光変調装置で変調する３つの色光（赤色光、緑色光及び青色光）として、第１固体光源装置が射出する２つの色光（赤色光及び緑色光）及び第２固体光源装置が射出する１つの色光（青色光）を用いるため、１つの固体光源装置を備えるプロジェクターの場合よりも個々の固体光源装置にかかる熱的負荷を低減することが可能となり、その結果、１つの固体光源装置を備えるプロジェクターよりも投写画像を明るくすることが可能となる。
また、本発明のプロジェクターによれば、光変調装置で変調する３つの色光（赤色光、緑色光及び青色光）のうち２つの色光（赤色光及び緑色光）については、共通の固体光源（第１固体光源及び第２固体光源）を用いて発生させているため、各色光ごとに別個の固体光源装置を備えるプロジェクターよりも投写画像の色バランスを安定させることが可能となる。
その結果、本発明のプロジェクターは、１つの固体光源装置を備えるプロジェクターよりも投写画像を明るくすることが可能で、かつ、各色光ごとに別個の固体光源装置を備えるプロジェクターよりも投写画像の色バランスを安定させることが可能なプロジェクターとなる。
【００１０】
ところで、プロジェクターの光変調装置が液晶光変調装置を用いる光変調装置である場合においては、光に含まれる偏光成分のうち一方の偏光成分のみを変調に用い、他方の偏光成分を変調に用いないことが一般的である。従って、プロジェクターの光源として、一方の偏光成分及び他方の偏光成分の両方を含む光を射出する光源を用いる場合には、他方の偏光成分を入射側偏光板により除去する必要があり、これに起因して光利用効率が低下してしまう。
これに対して、本発明のプロジェクターによれば、第２固体光源装置から射出される青色光を、光変調装置で変調する一方の青色偏光成分と、副励起光として前記蛍光層に入射させるための他方の青色偏光成分とに偏光分離し、蛍光層が主励起光とともに副励起光を赤色光及び緑色光を含む光に変換して射出するように構成されているため、他方の青色偏光成分を副励起光として有効利用して光利用効率を向上させることが可能となり、ひいては、投写画像をより明るくすることが可能となる。
【００１１】
［２］本発明のプロジェクターにおいては、前記第１固体光源装置から射出される光を平行化する第１コリメート光学系と、前記第２固体光源装置から射出される青色光を平行化する第２コリメート光学系とをさらに備え、前記反射型偏光板は、前記第２コリメート光学系の後段に位置し、前記青色光反射光学素子は、前記第１コリメート光学系の後段に位置することが好ましい。
【００１２】
このような構成とすることにより、第２コリメート光学系によって平行光にされた副励起光は、反射型偏光板により平行光のまま偏光分離され、青色光反射光学素子により反射された後、第１コリメート光学系によって集光され、蛍光層の発光領域に効率よく入射するようになるため、反射型偏光板と青色光反射光学素子とを備えることに起因して発光領域が拡がってしまうことを抑制することができる。
【００１３】
［３］本発明のプロジェクターにおいては、前記第１コリメート光学系の後段に位置し、前記第１固体光源装置から射出される光に含まれる偏光成分のうち一方の偏光成分をそのまま通過させるとともに、他方の偏光成分を前記蛍光層に向けて反射する第２反射型偏光板をさらに備えることが好ましい。
【００１４】
このような構成とすることにより、他方の偏光成分を再び蛍光層に戻すとともに他方の偏光成分を蛍光層の表面で反射させることで、他方の偏光成分の一部を一方の偏光成分に変換して再利用して光利用効率を向上させることが可能となり、ひいては、投写画像をより明るくすることが可能となる。
【００１５】
また、上記のような構成とすることにより、第１コリメート光学系によって平行光にされた他方の偏光成分は、第２反射型偏光板により平行光のまま反射された後、第１コリメート光学系によって集光され、蛍光層の発光領域に効率よく入射するようになるため、第２反射型偏光板をさらに備えることに起因して発光領域が拡がってしまうことを抑制することができる。
【００１６】
［４］本発明のプロジェクターにおいては、前記主励起光は、青色光であることが好ましい。
【００１７】
このように構成することにより、青色光を射出する第１固体光源及び第２固体光源を用いて、赤色光と緑色光とを含む光を第１固体光源装置から射出させることが可能となる。
【００１８】
ところで、緑色光を射出する固体光源装置に用いる固体光源は、赤色光を射出する固体光源装置に用いる固体光源及び青色光を射出する固体光源装置に用いる固体光源に比べて相対的に発光効率が低いという問題がある。これに対して、本発明のプロジェクターによれば、緑色光を射出する固体光源装置に用いる固体光源よりも発光効率が高い第１固体光源及び第２固体光源（ともに青色光を射出）を用いて緑色光を発生させることとしているため、緑色光を射出する固体光源装置を用いるよりも発光効率を高くすることが可能となる。
【００１９】
［５］本発明のプロジェクターにおいては、前記第１固体光源と、前記第２固体光源とは、同一の温度特性を有することが好ましい。
【００２０】
このように構成することにより、全ての色光について、温度の変化による光量の変化が揃うようになるため、投写画像の色バランスをより安定させることが可能となる。
【００２１】
［６］本発明のプロジェクターにおいては、前記主励起光は、紫外光であることが好ましい。
【００２２】
このように構成することにより、紫外光を射出する第１固体光源並びに青色光を射出する第２固体光源を用いて、赤色光と緑色光とを含む光を第１固体光源装置から射出させることが可能となる。
【００２３】
また、緑色光を射出する固体光源装置に用いる固体光源よりも発光効率が高い第１固体光源（紫外光を射出）及び第２固体光源（青色光を射出）を用いて緑色光を発生させることとしているため、緑色光を射出する固体光源装置を用いるよりも発光効率を高くすることが可能となる。
【００２４】
［７］本発明のプロジェクターにおいては、前記蛍光層から射出される光をそのまま通過させるとともに、前記蛍光層で変換されずにそのまま射出される前記紫外光を前記蛍光層に向けて反射する紫外光反射ミラーをさらに備えることが好ましい。
【００２５】
ところで、本発明のプロジェクターにおいては、第１固体光源から射出される紫外光の一部が蛍光層をそのまま通過してしまうため、これに起因して光利用効率が低下する場合がある。
しかしながら、上記のような構成とすることにより、蛍光層をそのまま通過した紫外光が再び蛍光層に入射するため、紫外光を再利用して光利用効率を向上させることが可能となり、ひいては、投写画像をより明るくすることが可能となる。
【００２６】
［８］本発明のプロジェクターにおいては、前記蛍光層は、ＹＡＧ系蛍光体、シリケート系蛍光体又はＴＡＧ系蛍光体を含有する層からなることが好ましい。
【００２７】
上記した蛍光体は、励起光（主励起光及び副励起光）を赤色光及び緑色光を含む光に効率よく変換して射出することが可能であり、また、蛍光体自身の信頼性も高いため、上記のように構成することにより、投写画像をより明るくすることが可能で、また、信頼性の高いプロジェクターとすることが可能となる。
なお、ＹＡＧ系蛍光体とは、例えば（Ｙ，Ｇｄ）３（Ａｌ，Ｇａ）５Ｏ１２：Ｃｅのように、結晶構造がガーネット構造であり、イットリウムとアルミニウムとの複合酸化物を基本とする蛍光体のことをいう。
また、シリケート系蛍光体とは、例えば（Ｃａ，Ｓｒ，Ｂａ）ＳｉＯ４：Ｅｕのように、種々の成分が導入されたケイ酸塩（シリケート）を基本とする蛍光体のことをいう。
また、ＴＡＧ系蛍光体とは、例えばＴｂ３Ａｌ５Ｏ１２：Ｃｅのように、結晶構造がガーネット構造であり、テルビウムとアルミニウムとの複合酸化物を基本とする蛍光体のことをいう。
【００２８】
［９］本発明のプロジェクターにおいては、前記第１固体光源装置からの光から黄色光を除去する機能を有することが好ましい。
【００２９】
このような構成とすることにより、第１固体光源装置からの光から黄色光を除去することが可能となり、その結果、黄色光による色再現性の劣化を防ぐことが可能となる。
【００３０】
なお、本発明のプロジェクターにおいては、第１固体光源装置からの光から黄色光を除去する機能を有しなくてもよい。この場合には、第１固体光源装置からの光に含まれることがある黄色光を積極的に利用することが可能となり、より明るい投写画像を投写することが可能となる。
【図面の簡単な説明】
【００３１】
【図１】実施形態１に係るプロジェクター１０００の光学系を示す平面図。
【図２】実施形態１に係るプロジェクター１０００における第１固体光源装置２０及び第２固体光源装置１２０を説明するために示す図。
【図３】実施形態１に係るプロジェクター１０００における第１固体光源２４、蛍光層２６及び第２固体光源１２４の相対発光強度を示すグラフ。
【図４】実施形態２に係るプロジェクター１００２の光学系を示す平面図。
【図５】実施形態３に係るプロジェクター１００４の光学系を示す平面図。
【図６】実施形態４に係るプロジェクター１００６の光学系を示す平面図。
【図７】実施形態５に係るプロジェクター１００８の光学系を示す平面図。
【図８】実施形態６に係るプロジェクター１０１０の光学系を示す平面図。
【発明を実施するための形態】
【００３２】
以下、本発明のプロジェクターについて、図に示す実施の形態に基づいて説明する。
【００３３】
［実施形態１］
まず、実施形態１に係るプロジェクター１０００の構成を説明する。
【００３４】
図１は、実施形態１に係るプロジェクター１０００の光学系を示す平面図である。
図２は、実施形態１に係るプロジェクター１０００における第１固体光源装置２０及び第２固体光源装置１２０を説明するために示す図である。図２（ａ）は第１固体光源装置２０の断面図であり、図２（ｂ）は第２固体光源装置１２０の断面図である。
図３は、実施形態１に係るプロジェクター１０００における第１固体光源２４、蛍光層２６及び第２固体光源１２４の相対発光強度を示すグラフである。図３（ａ）は第１固体光源２４の相対発光強度を示すグラフであり、図３（ｂ）は蛍光層２６の相対発光強度を示すグラフであり、図３（ｃ）は第２固体光源１２４の相対発光強度を示すグラフである。相対発光強度とは、固体光源であれば電圧を印加したときに、蛍光層であれば励起光が入射したときに、どのような波長の光をどの位の強度で射出するのかという特性のことをいう。グラフの縦軸は相対発光強度を表し、発光強度が最も強い波長における発光強度を１としている。グラフの横軸は、波長を表す。
【００３５】
実施形態１に係るプロジェクター１０００は、図１に示すように、第１照明装置１０と、第２照明装置１１０と、色分離導光光学系３００と、光変調装置としての３つの液晶光変調装置４００Ｒ，４００Ｇ，４００Ｂと、クロスダイクロイックプリズム５００と、投写光学系６００とを備える。
【００３６】
第１照明装置１０は、第１固体光源装置２０と、第１コリメート光学系３０と、ダイクロイックミラー４２と、ロッドインテグレーター光学系５０とを備える。
【００３７】
第１固体光源装置２０は、図２（ａ）に示すように、基台２２、第１固体光源２４、蛍光層２６及び封止部材２８を有する発光ダイオードであり、赤色光、黄色光及び緑色光を含む光を射出する（後述する図３（ｂ）参照。）。なお、第１固体光源装置２０は、上記した構成要素の他にもリード線等を有するが、図示及び説明を省略する。
【００３８】
基台２２は、第１固体光源２４を搭載する基台である。
第１固体光源２４は、主励起光として青色光（発光強度のピーク：約４６０ｎｍ、図３（ａ）参照。）を射出する。図３（ａ）において、符号Ｂで示すのは、第１固体光源２４が主励起光（青色光）として射出する色光成分である。第１固体光源２４は、窒化ガリウムを主成分とし、ｐｎ結合型の構造を有する。なお、第１固体光源はｐｎ接合型の構造を有していなくてもよく、ダブルヘテロ接合型、量子井戸接合型等の構造を有してもよい。
第１固体光源２４と基台２２との間には反射層（図示せず。）が形成されており、第１固体光源から基台２２側へ射出された青色光は、反射層によって蛍光層２６側へ反射される。
【００３９】
蛍光層２６は、ＹＡＧ系蛍光体の（Ｙ，Ｇｄ）３（Ａｌ，Ｇａ）５Ｏ１２：Ｃｅを含有する層からなり、第１固体光源２４の被照明領域側に配置されている。蛍光層２６は、波長が約４６０ｎｍの青色光によって最も効率的に励起され、図３（ｂ）に示すように、第１固体光源２４が射出した青色光及び第２固体光源が射出した副励起光（青色光のｐ偏光成分、後述）を赤色光（発光強度のピーク：約６１０ｎｍ）、黄色光（発光強度のピーク：約５８０ｎｍ）及び緑色光（発光強度のピーク：約５５０ｎｍ）を含む光に変換して射出する。なお、図３（ｂ）において、符号Ｒで示すのは、蛍光層２６が射出する光のうち赤色光として利用可能な色光成分である。また、符号Ｇで示すのは、蛍光層２６が射出する光のうち緑色光として利用可能な色光成分である。また、符号Ｙで示すのは、蛍光層が黄色光として射出する色光成分である。
封止部材２８は、透明なエポキシ樹脂からなり、第１固体光源２４及び蛍光層２６を保護する。
【００４０】
第１コリメート光学系３０は、図１に示すように、第１固体光源装置２０からの光の拡がりを抑える凸メニスカスレンズ３２と、凸メニスカスレンズ３２からの光を平行化する凸レンズ３４とを備え、全体として、第１固体光源装置２０からの光を平行化する機能を有する。
【００４１】
ダイクロイックミラー４２は、第１コリメート光学系３０の後段に位置し、反射型偏光板４０（後述）で分離された副励起光（後述）を蛍光層２６へ向けて反射して、副励起光を、主励起光（青色光）が入射する方向とは異なる方向から蛍光層２６に入射させる青色光反射光学素子である。具体的には、ダイクロイックミラー４２は、基板上に、青色光を反射し、赤色光、黄色光及び緑色光を通過させる波長選択透過膜が形成されたミラーである。
【００４２】
ロッドインテグレーター光学系５０は、凸レンズ５２、ロッドレンズ５４及び凸レンズ５６を備える。
凸レンズ５２は、コリメート光学系３０からの平行光を集光してロッドレンズ５４の入射面に導光する。
ロッドレンズ５４は、中実の柱状レンズであり、入射面から入射された光を内面で多重反射することによって均一化し、面内光強度分布が均一化した光を射出面から射出する。なお、ロッドレンズとしては、中実の柱状レンズに代えて、中空の柱状レンズを用いることもできる。
凸レンズ５６は、ロッドレンズ５４の射出面から射出された光を略平行化して、当該光を液晶光変調装置４００Ｒ，４００Ｇにおける画像形成領域に導光する。
【００４３】
第２照明装置１１０は、第２固体光源装置１２０と、第２コリメート光学系１３０と、反射型偏光板４０と、ロッドインテグレーター光学系１５０とを備える。
【００４４】
第２固体光源装置１２０は、図２（ｂ）に示すように、基台１２２、第２固体光源１２４及び封止部材１２８を有する発光ダイオードであり、青色光を射出する（後述する図３（ｃ）参照。）。なお、第２固体光源装置１２０は、上記した構成要素の他にもリード線等を有するが、図示及び説明を省略する。
第２固体光源１２４は、図３（ｃ）に示すように、色光及び副励起光（後述）として青色光（発光強度のピーク：約４６０ｎｍ）を射出する。図３（ｃ）において、符号Ｂで示すのは、第２固体光源１２４が色光及び副励起光（青色光）として射出する色光成分である。
基台１２２は基台２２と、第２固体光源１２４は第１固体光源２４と、封止部材１２８は封止部材２８と、それぞれ同様の構成を有するため、詳しい説明は省略する。
【００４５】
第１固体光源２４と第２固体光源１２４とは、同様の材料、同様の製造方法で作られ、同様の構造を有する。このため、第１固体光源２４と第２固体光源１２４とは、同一の温度特性を有し、温度の変化による光量の変化が互いに等しくなる。
【００４６】
第２コリメート光学系１３０は、図１に示すように、第２固体光源装置１２０からの光の拡がりを抑える凸メニスカスレンズ１３２と、凸メニスカスレンズ１３２からの光を平行化する凸レンズ１３４とを備え、全体として、第２固体光源装置１２０からの光を平行化する機能を有する。
【００４７】
反射型偏光板４０は、第２コリメート光学系１３０の後段に位置し、第２固体光源装置１２０から射出される青色光を、液晶光変調装置４００Ｂ（後述）で変調する一方の青色偏光成分（ｓ偏光成分）と、副励起光として蛍光層２６に入射させるための他方の青色偏光成分（ｐ偏光成分）とに偏光分離する反射型偏光板である。具体的には、反射型偏光板４０は、特定のピッチで格子状に配置された極細の金属線によって、ｓ偏光成分をそのまま通過させ、ｐ偏光成分を反射させるワイヤーグリッド偏光板である。なお、反射型偏光板として、ワイヤーグリッド偏光板の代わりに、基板上に誘電体多層膜が形成されている偏光ビームスプリッター（ＰＢＳ）を用いることもできる。図１において、反射型偏光板４０からロッドインテグレーター光学系１５０へ向かって伸びる実線矢印（符号Ｂ（ｓ）参照。）で示すのは、反射型偏光板４０を通過した一方の青色偏光成分である。また、反射型偏光板４０からダイクロイックミラー４２へ向かって伸びる実線矢印（符号Ｂ（ｐ）参照。）で示すのは、反射型偏光板４０によって反射された他方の青色偏光成分、つまり、副励起光である。
【００４８】
ロッドインテグレーター光学系１５０は、凸レンズ１５２、ロッドレンズ１５４及び凸レンズ１５６を備える。
凸レンズ１５２は、反射型偏光板４０からの青色光（ｓ偏光成分）を集光してロッドレンズ１５４の入射面に導光する。
ロッドレンズ１５４は、中実の柱状レンズであり、入射面から入射された光を内面で多重反射することによって均一化し、面内光強度分布が均一化した青色光（ｓ偏光成分）を射出面から射出する。なお、ロッドレンズとしては、中実の柱状レンズに代えて、中空の柱状レンズを用いることもできる。
凸レンズ１５６は、ロッドレンズ１５４の射出面から射出された青色光（ｓ偏光成分）を略平行化して、当該光を液晶光変調装置４００Ｂにおける画像形成領域に導光する。
【００４９】
色分離導光光学系３００は、光路前段に配置されているダイクロイックミラー３１０、光路後段に配置されているダイクロイックミラー３２０及び反射ミラー３３０並びに青色光用の反射ミラー３４０を備える。色分離導光光学系３００は、第１照明装置１０からの光を赤色光及び緑色光に分離し、赤色光及び緑色光のそれぞれの色光を照明対象となる液晶光変調装置４００Ｒ，４００Ｇに導光する機能並びに第２照明装置１１０からの青色光（ｓ偏光成分）を照明対象となる液晶光変調装置４００Ｂに導光する機能を有する。
【００５０】
ダイクロイックミラー３１０，３２０は、基板上に、所定の波長領域の光を反射し、他の波長領域の光を通過させる波長選択透過膜が形成されたミラーである。
ダイクロイックミラー３１０は、緑色光成分を反射し、赤色光成分及び黄色光成分を通過させるダイクロイックミラーである。
ダイクロイックミラー３２０は、赤色光成分を反射し、黄色光成分を通過させるダイクロイックミラーである。ダイクロイックミラー３２０を通過した黄色光成分は、系外に除去される。つまり、プロジェクター１０００は、ダイクロイックミラー３２０によって、黄色光を除去する機能を有する。なお、図１において、ダイクロイックミラー３２０から伸びる点線矢印（符号Ｙ参照。）で示すのは、ダイクロイックミラー３２０を通過した黄色光である。
反射ミラー３３０は、緑色光成分を反射する反射ミラーである。
【００５１】
ダイクロイックミラー３１０を通過した赤色光は、ダイクロイックミラー３２０で反射され、赤色光用の液晶光変調装置４００Ｒの画像形成領域に入射する。
ダイクロイックミラー３１０で反射された緑色光は、反射ミラー３３０でさらに反射され、緑色光用の液晶光変調装置４００Ｇの画像形成領域に入射する。
第２照明装置１１０からの青色光（ｓ偏光成分）は、反射ミラー３４０で反射され、青色光用の液晶光変調装置４００Ｂの画像形成領域に入射する。
【００５２】
液晶光変調装置４００Ｒ，４００Ｇ，４００Ｂは、入射された色光を画像情報に応じて変調してカラー画像を形成するものであり、第１照明装置１０及び第２照明装置１１０の照明対象となる。なお、図示を省略したが、ダイクロイックミラー３２０と液晶光変調装置４００Ｒとの間、反射ミラー３３０と液晶光変調装置４００Ｇとの間及び反射ミラー３４０と液晶光変調装置４００Ｂとの間には、入射側偏光板が配置され、液晶光変調装置４００Ｒ，４００Ｇ，４００Ｂとクロスダイクロイックプリズム５００との間には、それぞれ射出側偏光板が配置される。これら入射側偏光板、液晶光変調装置４００Ｒ，４００Ｇ，４００Ｂ及び射出側偏光板によって、入射された各色光の光変調が行われる。
液晶光変調装置４００Ｒ，４００Ｇ，４００Ｂは、一対の透明なガラス基板に電気光学物質である液晶を密閉封入した透過型の液晶光変調装置であり、例えば、ポリシリコンＴＦＴをスイッチング素子として、与えられた画像信号に応じて、入射側偏光板から射出された１種類の直線偏光の偏光方向を変調する。
【００５３】
クロスダイクロイックプリズム５００は、射出側偏光板から射出された色光毎に、変調された光学像を合成してカラー画像を形成する光学素子である。このクロスダイクロイックプリズム５００は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものである。これらの誘電体多層膜によって赤色光及び青色光は曲折され、緑色光の進行方向と揃えられることにより、３つの色光が合成される。
【００５４】
クロスダイクロイックプリズム５００から射出されたカラー画像は、投写光学系６００によって拡大投写され、スクリーンＳＣＲ上で画像を形成する。
【００５５】
次に、実施形態１に係るプロジェクター１０００の効果を説明する。
【００５６】
実施形態１に係るプロジェクター１０００によれば、液晶光変調装置４００Ｒ，４００Ｇ，４００Ｂで変調する３つの色光（赤色光、緑色光及び青色光）として、第１固体光源装置２０が射出する２つの色光（赤色光及び緑色光）及び第２固体光源装置１２０が射出する１つの色光（青色光）を用いるため、１つの固体光源装置を備えるプロジェクターの場合よりも個々の固体光源装置にかかる熱的負荷を低減することが可能となり、その結果、１つの固体光源装置を備えるプロジェクターよりも投写画像を明るくすることが可能となる。
また、実施形態１に係るプロジェクター１０００によれば、液晶光変調装置４００Ｒ，４００Ｇ，４００Ｂで変調する３つの色光（赤色光、緑色光及び青色光）のうち２つの色光（赤色光及び緑色光）については、共通の固体光源（第１固体光源２４及び第２固体光源１２４）を用いて発生させているため、各色光ごとに別個の固体光源装置を備えるプロジェクターよりも投写画像の色バランスを安定させることが可能となる。
その結果、実施形態１に係るプロジェクター１０００は、１つの固体光源装置を備えるプロジェクターよりも投写画像を明るくすることが可能で、かつ、各色光ごとに別個の固体光源装置を備えるプロジェクターよりも投写画像の色バランスを安定させることが可能なプロジェクターとなる。
【００５７】
また、実施形態１に係るプロジェクター１０００によれば、第２固体光源装置１２０から射出される青色光を、液晶光変調装置４００Ｂで変調する一方の青色偏光成分（ｓ偏光成分）と、副励起光として蛍光層２６に入射させるための他方の青色偏光成分（ｐ偏光成分）とに偏光分離し、蛍光層２６が主励起光（青色光）とともに副励起光を赤色光及び緑色光を含む光に変換して射出するように構成されているため、他方の青色偏光成分（ｐ偏光成分）を副励起光として有効利用して光利用効率を向上させることが可能となり、ひいては、投写画像をより明るくすることが可能となる。
【００５８】
また、実施形態１に係るプロジェクター１０００によれば、反射型偏光板４０が第２コリメート光学系１３０の後段に位置し、ダイクロイックミラー４２が第１コリメート光学系３０の後段に位置するため、第２コリメート光学系１３０によって平行光にされた副励起光は、反射型偏光板４０により平行光のまま偏光分離されて反射され、ダイクロイックミラー４２によりさらに反射された後、第１コリメート光学系３０によって集光され、蛍光層２６の発光領域に効率よく入射するようになるため、反射型偏光板と青色光反射光学素子とを備えることに起因して発光領域が拡がってしまうことを抑制することができる。
【００５９】
また、実施形態１に係るプロジェクター１０００によれば、主励起光が青色光であるため、青色光を射出する第１固体光源２４及び第２固体光源１２４を用いて、赤色光と緑色光とを含む光を第１固体光源装置２０から射出させることが可能となる。
【００６０】
また、実施形態１に係るプロジェクター１０００によれば、緑色光を射出する固体光源装置に用いる固体光源よりも発光効率が高い第１固体光源２４及び第２固体光源１２４（ともに青色光を射出）を用いて緑色光を発生させることとしているため、緑色光を射出する固体光源装置を用いるよりも発光効率を高くすることが可能となる。
【００６１】
また、実施形態１に係るプロジェクター１０００によれば、第１固体光源２４と、第２固体光源１２４とが同一の温度特性を有するため、全ての色光について、温度の変化による光量の変化が揃うようになるため、投写画像の色バランスをより安定させることが可能となる。
【００６２】
また、実施形態１に係るプロジェクター１０００によれば、蛍光層２６がＹＡＧ系蛍光体の（Ｙ，Ｇｄ）３（Ａｌ，Ｇａ）５Ｏ１２：Ｃｅを含有する層からなるため、投写画像をより明るくすることが可能で、また、信頼性の高いプロジェクターとすることが可能となる。
【００６３】
また、実施形態１に係るプロジェクター１０００によれば、ダイクロイックミラー３２０によって、第１固体光源装置２０からの光から黄色光を除去する機能を有するため、第１固体光源装置２０からの光から黄色光を除去することが可能となり、その結果、黄色光による色再現性の劣化を防ぐことが可能となる。
【００６４】
［実施形態２］
図４は、実施形態２に係るプロジェクター１００２の光学系を示す平面図である。
【００６５】
実施形態２に係るプロジェクター１００２は、基本的には実施形態１に係るプロジェクター１０００と同様の構成を有するが、反射型偏光板の配置位置が実施形態１に係るプロジェクター１０００の場合とは異なる。
すなわち、実施形態２に係るプロジェクター１００２においては、反射型偏光板４０と同様の構造を有し、固体光源装置１２０からの青色光を一方の青色偏光成分（ｓ偏光成分）と、他方の青色偏光成分（ｐ偏光成分）とに偏光分離する反射型偏光板４４が、図４に示すように、色分離導光光学系３０２の中に配置されている。また、これに伴い、反射型偏光板４４で偏光分離された他方の青色偏光成分（ｐ偏光成分）が副励起光として第１固体光源装置２０の蛍光層２６に入射するように、反射ミラー３３０の代わりに、緑色光を反射し青色光を通過させるダイクロイックミラー３５０を用いることとしている。さらにまた、ダイクロイックミラー３１０として、緑色光とともに青色光を反射するダイクロイックミラーを用いることとしている。
なお、図４において、反射型偏光板４４から反射ミラー３４０へ向かって伸びる実線矢印（符号Ｂ（ｓ）参照。）で示すのは、反射型偏光板４４を通過した一方の青色偏光成分である。また、反射型偏光板４４からダイクロイックミラー３１０へ向かって伸びる実線矢印（符号Ｂ（ｐ）参照。）で示すのは、反射型偏光板４４によって反射された他方の青色偏光成分、つまり、副励起光である。
【００６６】
このように、実施形態２に係るプロジェクター１００２は、反射型偏光板の配置位置が実施形態１に係るプロジェクター１０００の場合とは異なるが、液晶光変調装置４００Ｒ，４００Ｇ，４００Ｂで変調する３つの色光（赤色光、緑色光及び青色光）として、第１固体光源装置２０が射出する２つの色光（赤色光及び緑色光）及び第２固体光源装置１２０が射出する１つの色光（青色光）を用い、また、液晶光変調装置４００Ｒ，４００Ｇ，４００Ｂで変調する３つの色光（赤色光、緑色光及び青色光）のうち２つの色光（赤色光及び緑色光）については、共通の固体光源（第１固体光源２４及び第２固体光源１２４）を用いて発生させているため、実施形態１に係るプロジェクター１０００の場合と同様に、１つの固体光源装置を備えるプロジェクターよりも投写画像を明るくすることが可能で、かつ、各色光ごとに別個の固体光源装置を備えるプロジェクターよりも投写画像の色バランスを安定させることが可能なプロジェクターとなる。
【００６７】
また、実施形態２に係るプロジェクター１００２は反射型偏光板の配置位置以外の点においては、実施形態１に係るプロジェクター１０００と同様の構成を有するため、実施形態１に係るプロジェクター１０００が有する効果のうち該当する効果をそのまま有する。
【００６８】
［実施形態３］
図５は、実施形態３に係るプロジェクター１００４の光学系を示す平面図である。
【００６９】
実施形態３に係るプロジェクター１００４は、基本的には実施形態１に係るプロジェクター１０００と同様の構成を有するが、第２照明装置の構成が実施形態１に係るプロジェクター１０００の場合とは異なる。
すなわち、実施形態３に係るプロジェクター１００４においては、図５に示すように、第２照明装置１１２が、ｐ偏光成分をそのまま通過させ、ｓ偏光成分を反射するワイヤーグリッド型の反射型偏光板４６を備える。また、これに伴って、第２固体光源装置１２０と第２コリメート光学系１３０とが、ダイクロイックミラー４２と反射型偏光板４６とを通る光路の延長上に配置されている。なお、図５において、反射型偏光板４６からロッドインテグレーター光学系１５０へ向かって伸びる実線矢印（符号Ｂ（ｓ）参照。）で示すのは、反射型偏光板４６で反射された一方の青色偏光成分である。また、反射型偏光板４６からダイクロイックミラー４２へ向かって伸びる実線矢印（符号Ｂ（ｐ）参照。）で示すのは、反射型偏光板４６を通過した他方の青色偏光成分、つまり、副励起光である。
【００７０】
このように、実施形態３に係るプロジェクター１００４は、第２照明装置の構成が実施形態１に係るプロジェクター１０００の場合とは異なるが、液晶光変調装置４００Ｒ，４００Ｇ，４００Ｂで変調する３つの色光（赤色光、緑色光及び青色光）として、第１固体光源装置２０が射出する２つの色光（赤色光及び緑色光）及び第２固体光源装置１２０が射出する１つの色光（青色光）を用い、また、液晶光変調装置４００Ｒ，４００Ｇ，４００Ｂで変調する３つの色光（赤色光、緑色光及び青色光）のうち２つの色光（赤色光及び緑色光）については、共通の固体光源（第１固体光源２４及び第２固体光源１２４）を用いて発生させているため、実施形態１に係るプロジェクター１０００の場合と同様に、１つの固体光源装置を備えるプロジェクターよりも投写画像を明るくすることが可能で、かつ、各色光ごとに別個の固体光源装置を備えるプロジェクターよりも投写画像の色バランスを安定させることが可能なプロジェクターとなる。
【００７１】
また、実施形態３に係るプロジェクター１００４は、色分離導光光学系の構成、第１照明装置の構成及び第２照明装置の構成以外の点においては、実施形態１に係るプロジェクター１０００と同様の構成を有するため、実施形態１に係るプロジェクター１０００が有する効果のうち該当する効果をそのまま有する。
【００７２】
［実施形態４］
図６は、実施形態４に係るプロジェクター１００６の光学系を示す平面図である。
【００７３】
実施形態４に係るプロジェクター１００６は、基本的には実施形態１に係るプロジェクター１０００と同様の構成を有するが、第１照明装置の構成が実施形態１に係るプロジェクター１０００の場合とは異なる。
すなわち、実施形態４に係るプロジェクター１００６においては、図６に示すように、第１照明装置１４が、第１コリメート光学系３０の後段に位置し、第１固体光源装置２０から射出される光に含まれる偏光成分のうち一方の偏光成分（ｓ偏光成分）をそのまま通過させるとともに、他方の偏光成分（ｐ偏光成分）を蛍光層２６に向けて反射する第２反射型偏光板６０を備える。なお、第２反射型偏光板６０は、ワイヤーグリッド型の偏光板である。図６において、符号Ｒ（ｓ），Ｇ（ｓ），Ｙ（ｓ）で示すのは、それぞれ第２反射型偏光板６０を通過した各色光（赤色光、緑色光及び黄色光）の一方の偏光成分（ｓ偏光成分）である。また、第２反射型偏光板６０から第１コリメート光学系３０へ向かって伸びる実線矢印（符号Ｒ（ｐ），Ｇ（ｐ），Ｙ（ｐ）参照。）で示すのは、第２反射型偏光板６０によって反射された各色光（赤色光、緑色光及び黄色光）の他方の偏光成分である。また、反射型偏光板４０からロッドインテグレーター光学系１５０へ向かって伸びる実線矢印（符号Ｂ（ｓ）参照。）で示すのは、反射型偏光板４０を通過した一方の青色偏光成分である。また、反射型偏光板４０からダイクロイックミラー４２へ向かって伸びる実線矢印（符号Ｂ（ｐ）参照。）で示すのは、反射型偏光板４０によって反射された他方の青色偏光成分、つまり、副励起光である。
【００７４】
このように、実施形態４に係るプロジェクター１００６は、第１照明装置の構成が実施形態１に係るプロジェクター１０００の場合とは異なるが、液晶光変調装置４００Ｒ，４００Ｇ，４００Ｂで変調する３つの色光（赤色光、緑色光及び青色光）として、第１固体光源装置２０が射出する２つの色光（赤色光及び緑色光）及び第２固体光源装置１２０が射出する１つの色光（青色光）を用い、また、液晶光変調装置４００Ｒ，４００Ｇ，４００Ｂで変調する３つの色光（赤色光、緑色光及び青色光）のうち２つの色光（赤色光及び緑色光）については、共通の固体光源（第１固体光源２４及び第２固体光源１２４）を用いて発生させているため、実施形態１に係るプロジェクター１０００の場合と同様に、１つの固体光源装置を備えるプロジェクターよりも投写画像を明るくすることが可能で、かつ、各色光ごとに別個の固体光源装置を備えるプロジェクターよりも投写画像の色バランスを安定させることが可能なプロジェクターとなる。
【００７５】
また、実施形態４に係るプロジェクター１００６によれば、第２反射型偏光板６０をさらに備えるため、他方の偏光成分（ｐ偏光成分）を再び蛍光層２６に戻すとともに他方の偏光成分（ｐ偏光成分）を蛍光層２６の表面で反射させることで、他方の偏光成分（ｐ偏光成分）の一部を一方の偏光成分（ｓ偏光成分）に変換して再利用して光利用効率を向上させることが可能となり、ひいては、投写画像をより明るくすることが可能となる。
【００７６】
また、実施形態４に係るプロジェクター１００６によれば、第２反射型偏光板６０が第１コリメート光学系３０の後段に位置するため、第１コリメート光学系３０によって平行光にされた他方の偏光成分（ｐ偏光成分）は、第２反射型偏光板６０により平行光のまま反射された後、第１コリメート光学系３０によって集光され、蛍光層２６の発光領域に効率よく入射するようになるため、第２反射型偏光板６０をさらに備えることに起因して発光領域が拡がってしまうことを抑制することができる。
【００７７】
なお、実施形態４に係るプロジェクター１００６は、第１照明装置の構成以外の点においては、実施形態１に係るプロジェクター１０００と同様の構成を有するため、実施形態１に係るプロジェクター１０００が有する効果のうち該当する効果をそのまま有する。
【００７８】
［実施形態５］
図７は、実施形態５に係るプロジェクター１００８の光学系を示す平面図である。
【００７９】
実施形態５に係るプロジェクター１００８は、基本的には実施形態１に係るプロジェクター１０００と同様の構成を有するが、光変調装置の構成及び色分離導光光学系の構成が実施形態１に係るプロジェクター１０００の場合とは異なる。
すなわち、実施形態５に係るプロジェクター１００８においては、光変調装置は、図７に示すように、反射型の液晶光変調装置４０２Ｒ，４０２Ｇ，４０２Ｂからなる。また、色分離導光光学系は、緑色光成分を反射し、その他の色光成分を通過させるダイクロイックミラー３１０と、ｓ偏光成分をそのまま通過させ、ｐ偏光成分を反射する反射型偏光板３２２，３３２，３４２とを備える色分離導光光学系３０４からなる。反射型偏光板３２２は、黄色光成分を反射し、赤色光成分を通過させるダイクロイックミラーとしての機能をも有する。反射型偏光板３２２は、例えば、基板の一方の面上に、ワイヤーグリッド偏光板として特定のピッチで格子状に配置された極細の金属線を有し、基板の他方の面上に、ダイクロイックミラーとして波長選択透過膜を有する光学素子である。つまり、プロジェクター１００８は、反射型偏光板３２２によって、黄色光を除去する機能を有する。なお、図７において、反射型偏光板３２２から伸びる点線矢印（符号Ｙ参照。）で示すのは、反射型偏光板３２２で反射された黄色光である。
【００８０】
液晶光変調装置４０２Ｒ，４０２Ｇ，４０２Ｂは、色分離導光光学系３０４における反射型偏光板３２２，３３２，３４２とともに、入射する各色光の光変調を行う。色分離導光光学系３０４は、第１照明装置１０からの光を赤色光及び緑色光に分離し、赤色光及び緑色光のそれぞれの色光を照明対象となる液晶光変調装置４０２Ｒ，４０２Ｇに導光し、液晶光変調装置４０２Ｒ，４０２Ｇで反射された光を変調光としてクロスダイクロイックプリズム５００に導光する機能並びに第２照明装置１１０からの青色光を照明対象となる液晶光変調装置４０２Ｂに導光し、液晶光変調装置で反射された光を変調光としてクロスダイクロイックプリズム５００に導光する機能を有する。
【００８１】
上記したように、実施形態５に係るプロジェクター１００８は、光変調装置の構成及び色分離導光光学系の構成が実施形態１に係るプロジェクター１０００の場合とは異なるが、液晶光変調装置４０２Ｒ，４０２Ｇ，４０２Ｂで変調する３つの色光（赤色光、緑色光及び青色光）として、第１固体光源装置２０が射出する２つの色光（赤色光及び緑色光）及び第２固体光源装置１２０が射出する１つの色光（青色光）を用い、また、液晶光変調装置４０２Ｒ，４０２Ｇ，４０２Ｂで変調する３つの色光（赤色光、緑色光及び青色光）のうち２つの色光（赤色光及び緑色光）については、共通の固体光源（第１固体光源２４及び第２固体光源１２４）を用いて発生させているため、実施形態１に係るプロジェクター１０００の場合と同様に、１つの固体光源装置を備えるプロジェクターよりも投写画像を明るくすることが可能で、かつ、各色光ごとに別個の固体光源装置を備えるプロジェクターよりも投写画像の色バランスを安定させることが可能なプロジェクターとなる。
【００８２】
また、実施形態５に係るプロジェクター１００８は、光変調装置の構成及び色分離導光光学系の構成以外の点においては、実施形態１に係るプロジェクター１０００と同様の構成を有するため、実施形態１に係るプロジェクター１０００が有する効果のうち該当する効果をそのまま有する。
【００８３】
［実施形態６］
図８は、実施形態６に係るプロジェクター１０１０の光学系を示す平面図である。
【００８４】
実施形態６に係るプロジェクター１０１０は、基本的には実施形態１に係るプロジェクター１０００と同様の構成を有するが、第１照明装置の構成及び第２照明装置の構成が実施形態１に係るプロジェクター１０００の場合とは異なる。
すなわち、実施形態６に係るプロジェクター１０１０においては、図８に示すように、第１照明装置１６がロッドインテグレーター光学系５０に代えてレンズインテグレーター光学系７０を備え、また、第２照明装置１１６がロッドインテグレーター光学系１５０に代えてレンズインテグレーター光学系１７０を備える。レンズインテグレーター光学系７０は、第１レンズアレイ７２、第２レンズアレイ７４及び重畳レンズ７６を備える。レンズインテグレーター光学系１７０は、第１レンズアレイ１７２、第２レンズアレイ１７４及び重畳レンズ１７６を備える。
【００８５】
このように、実施形態６に係るプロジェクター１０１０は、第１照明装置の構成及び第２照明装置の構成が実施形態１に係るプロジェクター１０００の場合とは異なるが、液晶光変調装置４００Ｒ，４００Ｇ，４００Ｂで変調する３つの色光（赤色光、緑色光及び青色光）として、第１固体光源装置２０が射出する２つの色光（赤色光及び緑色光）及び第２固体光源装置１２０が射出する１つの色光（青色光）を用い、また、液晶光変調装置４００Ｒ，４００Ｇ，４００Ｂで変調する３つの色光（赤色光、緑色光及び青色光）のうち２つの色光（赤色光及び緑色光）については、共通の固体光源（第１固体光源２４及び第２固体光源１２４）を用いて発生させているため、実施形態１に係るプロジェクター１０００の場合と同様に、１つの固体光源装置を備えるプロジェクターよりも投写画像を明るくすることが可能で、かつ、各色光ごとに別個の固体光源装置を備えるプロジェクターよりも投写画像の色バランスを安定させることが可能なプロジェクターとなる。
【００８６】
また、実施形態６に係るプロジェクター１０１０は、第１照明装置の構成及び第２照明装置の構成以外の点においては、実施形態１に係るプロジェクター１０００と同様の構成を有し、実施形態１に係るプロジェクター１０００が有する効果と同様の効果をそのまま有する。
【００８７】
以上、本発明を上記の実施形態に基づいて説明したが、本発明は上記の実施形態に限定されるものではない。その趣旨を逸脱しない範囲において種々の様態において実施することが可能であり、例えば、次のような変形も可能である。
【００８８】
（１）上記各実施形態においては、蛍光層２６が（Ｙ，Ｇｄ）３（Ａｌ，Ｇａ）５Ｏ１２：Ｃｅを含有する層からなるものであるが、本発明はこれに限定されるものではない。例えば、蛍光層が、（Ｙ，Ｇｄ）３（Ａｌ，Ｇａ）５Ｏ１２：Ｃｅ以外のＹＡＧ系蛍光体を含有する層からなるものであってもよいし、シリケート系蛍光体を含有する層からなるものであってもよいし、ＴＡＧ系蛍光体を含有する層からなるものであってもよい。また、蛍光層が、励起光を赤色光に変換する蛍光体と、励起光を緑色に変換する蛍光体との混合物を含有する層からなるものであってもよい。
【００８９】
（２）上記各実施形態においては、プロジェクターの光変調装置として液晶光変調装置を用いたが、本発明はこれに限定されるものではない。光変調装置としては、一般に、画像情報に応じて入射光を変調するものであればよく、マイクロミラー型光変調装置等を用いてもよい。マイクロミラー型光変調装置としては、例えば、ＤＭＤ（デジタルマイクロミラーデバイス）（ＴＩ社の商標）を用いることができる。
【００９０】
（３）上記各実施形態においては、第１固体光源装置２０及び第２固体光源装置１２０が発光ダイオードからなるものであるが、本発明はこれに限定されるものではない。第１固体光源装置及び第２固体光源装置が、例えば、半導体レーザーからなるものであってもよいし、有機発光ダイオードからなるものであってもよい。
【００９１】
（４）上記各実施形態においては、主励起光が青色光であるが、本発明はこれに限定されるものではない。主励起光が紫外光であってもよい。このように構成することによっても、赤色光と緑色光とを含む光を第１照明装置から射出させることが可能となり、また、緑色光を射出する固体光源装置を用いるよりも発光効率を高くすることが可能となる。
【００９２】
（５）また、上記のように励起光が紫外光である場合には、第１コリメート光学系の後段に、赤色光、緑色光及び青色光をそのまま通過させるとともに、蛍光層で変換されずにそのまま射出される紫外光を蛍光層に向けて反射する紫外光反射ミラーをさらに備えてもよい。このような構成とすることにより、蛍光層をそのまま通過した紫外光が再び蛍光層に入射するため、紫外光を再利用して光利用効率を向上させることが可能となり、ひいては、投写画像をより明るくすることが可能となる。また、第１固体光源装置からの光から紫外光を除去することが可能となり、その結果、紫外光による光変調装置の劣化を防ぐことが可能となる。
【００９３】
（６）また、上記のように励起光が紫外光である場合には、第１固体光源装置から光変調装置までの光路中に、紫外光を吸収する光学素子を備えてもよい。このように構成とすることによっても、第１固体光源装置からの光から紫外光を除去することが可能となり、その結果、紫外光による光変調装置の劣化を防ぐことが可能となる。
【００９４】
（７）上記各実施形態においては、プロジェクターが第１固体光源装置２０からの黄色光を除去する機能を有するが、本発明はこれに限定されるものではない。例えば、プロジェクターが黄色光を除去する機能を有しなくてもよい。この場合には、第１照明装置からの光に含まれる黄色光を積極的に利用することが可能となり、より明るい投写画像を投写することが可能となる。また、黄色光を除去しない場合には、黄色光を赤色光や緑色光とは別の光変調装置を用いて変調することにより、上記の効果に加えて、より色再現性に優れる投写画像を投写することが可能となるという効果を得られる。
【００９５】
（８）上記各実施形態においては、プロジェクターが偏光変換装置をさらに備えていてもよい。偏光変換装置とは、一方の偏光成分と他方の偏光成分との両方を含む光を、偏光方向の揃った略１種類の直線偏光光に変換する偏光変換素子である。
【００９６】
（９）上記各実施形態においては、各コリメート光学系がそれぞれ凸メニスカスレンズと凸レンズとの２枚のレンズを備えるが、本発明はこれに限定されるものではない。例えば、コリメート光学系が１枚のレンズのみを備えてもよいし、３枚以上のレンズを備えてもよい。
【００９７】
（１０）上記各実施形態におけるプロジェクターの光路に用いられている各レンズの形状は、上記各実施形態に記載したものに限られない。必要に応じて、種々の形状のレンズを用いることができる。
【００９８】
（１１）上記各実施形態においては、３つの液晶光変調装置を用いたプロジェクターを例示して説明したが、本発明はこれに限定されるものではない。１つ、２つ又は４つ以上の液晶光変調装置を用いたプロジェクターにも適用可能である。
【００９９】
（１２）本発明は、投写画像を観察する側から投写するフロント投写型プロジェクターに適用する場合にも、投写画像を観察する側とは反対の側から投写するリア投写型プロジェクターに適用する場合にも可能である。
【０１００】
（１３）上記各実施形態においては、一方の偏光成分がｓ偏光成分、他方の偏光成分がｐ偏光成分であるが、本発明はこれに限定されるものではない。一方の偏光成分がｐ偏光成分、他方の偏光成分がｓ偏光成分であってもよい。
【符号の説明】
【０１０１】
１０，１２，１４，１６…第１照明装置、２０…第１固体光源装置、２２，１２２…基台、２４…第１固体光源、２６…蛍光層、２８，１２８…封止部材、３０…第１コリメート光学系、３２，１３２…凸メニスカスレンズ、３４，５２，５６，１３４，１５２，１５６…凸レンズ、４２，４４，３１０，３２０，３５０…ダイクロイックミラー、５０，１５０…ロッドインテグレーター光学系、４０，４６，３２２，３３２，３４２…反射型偏光板、５４，１５４…ロッドレンズ、６０…第２反射型偏光板、７０，１７０…レンズインテグレーター光学系、７２，１７２…第１レンズアレイ、７４，１７４…第２レンズアレイ、７６，１７６…重畳レンズ、１１０，１１２，１１４，１１６…第２照明装置、１２０…第２固体光源装置、１２４…第２固体光源、１３０…第２コリメート光学系、３００，３０２，３０４…色分離導光光学系、３３０，３４０…反射ミラー、４００Ｒ，４００Ｇ，４００Ｂ，４０２Ｒ，４０２Ｇ，４０２Ｂ…液晶光変調装置、５００…クロスダイクロイックプリズム、６００…投写光学系、１０００，１００２，１００４，１００６，１００８，１０１０…プロジェクター、ＳＣＲ…スクリーン
【図１】
2011048044.tif 000003
【図２】
2011048044.tif 000004
【図３】
2011048044.tif 000005
【図４】
2011048044.tif 000006
【図５】
2011048044.tif 000007
【図６】
2011048044.tif 000008
【図７】
2011048044.tif 000009
【図８】
2011048044.tif 000010